(57)【要約】      （修正有）【課題】シンプルな構成で、しかも開閉作業に関する取り扱いが容易であると共に、身体の運動機能に支障を生じないような上下一体被服を提供する。【解決手段】上側の首巻着部から下側の足収容部に至る迄一体成形状態である密着用被服であって、挿脱用のファスナー２を、脇の下から腰部に至る上下方向領域のうち、上側の１／２の高さ領域において、身体の背部側に水平方向に装着すると共に、身体の両脇側から前部に延設した状態にて装着したことを特徴とする。【選択図】図１
0003185710.tif 000002
【実用新案登録請求の範囲】
【請求項１】
上側の首巻着部から下側の足収容部に至る迄の上下一体被服であって、挿脱用のファスナーを、脇の下から腰部に至る上下方向領域のうち、上側の１／２の高さ領域において、身体の背部側に水平方向に装着すると共に、身体の両側の横腹部から前部の水平方向における中央位置に向かって延設した状態にて装着している上下一体被服。
【請求項２】
身体の前側部におけるファスナーの装着方向が両側の横腹部から水平方向であるか、又は順次下降する傾斜方向であるか、又は順次上昇する傾斜方向の何れかであることを特徴とする請求項１記載の上下一体被服。
【請求項３】
身体の前側部におけるファスナーの装着方向が一方の横腹部側から順次上昇する傾斜方向であり、他方の横腹部側から順次下降する傾斜方向であって、双方の傾斜方向が平行であることを特徴とする請求項１に記載の上下一体被服。
【請求項４】
ファスナーが両側の横腹部から前部の水平方向における中央位置に迄延設されていることを特徴とする請求項１，２，３何れか１項に記載の上下一体被服。
【考案の詳細な説明】
【技術分野】
【０００１】
本考案は、サーフィン及び潜水等に使用するドライスーツ、及びウェットスーツ、更には災害からの避難又は放射能からの防御の為に使用する防護用スーツ等において、身体を装着する為の上下一体被服に関するものである。
【背景技術】
【０００２】
ウェットスーツ及びドライスーツ等の上下一体被服においては、身体の挿脱の為に背部及び／または前部におけるファスナーの装着を必要不可欠としている。
【０００３】
しかしながら、従来技術によるファスナーの装着方向の殆どは水平方向ではなく、斜方向の装着又はスパイラル状の装着等の複雑な構成がされている場合が多く、現に特許文献１，２，３はそのような構成の典型例に該当する。
上記のような複雑な構成によるファスナーの装着では製造コストが高いだけでなく、ファスナーの開閉操作もまた比較的に複雑であって、簡便な開閉を行うことができない。
【０００４】
尤も、特許文献３の図９，１０においては、両肩部においてファスナーが水平方向に装着されているが、このような装着の場合には、使用者が一人でファスナーの開閉をすることが極めて困難であると共に、ファスナーによって肩の運動に支障が生ずるという欠点を免れることができない。
他方、特許文献４は、背部においてファスナーを、左右脇の下の近傍の高さ位置にて装着しているが、身体の前部においては、右側の横腹部から左肩近傍迄ファスナーの終端部を延伸させており、両側の横腹部からの延伸による装着は、採用されていない。
【０００５】
その結果、ファスナーの開閉作業は、前領域の左肩近傍の位置から背部の左側端位置に至る迄の範囲内にて行われ、開閉を開始する位置及び終了する位置を身体の前側とし、かつ両手の使用による簡便な開閉作業を実現することが出来ない。
【０００６】
このように従来技術においては、上下一体被服の分野につき、シンプルかつ簡便な取り扱いが可能なファスナーの装着に着目したことによる創意工夫は殆ど行われていなかったと評価しても過言ではない。
【先行技術文献】
【特許文献】
【０００７】
【特許文献１】実開昭６２−１９８２０９号公報
【特許文献２】実開平２−１０７５９５号公報
【特許文献３】実開平３−３７０９９号公報
【特許文献４】実開昭６４−４０７９４号公報
【考案の概要】
【考案が解決しようとする課題】
【０００８】
本考案は、シンプルな構成であって、しかも開閉作業における取り扱いが容易であると共に、身体の運動機能に支障を生じないような上下一体被服の構成を提供することを課題としている。
【課題を解決するための手段】
【０００９】
上記課題を達成するため、本考案の基本構成は、上側の首巻着部から下側の足収容部に至る迄の上下一体被服であって、挿脱用のファスナーを、脇の下から腰部に至る上下方向領域のうち、上側の１／２の高さ領域において、身体の背部側に水平方向に装着すると共に、身体の両側の横腹部から前部の水平方向における中央位置に向かって延設した状態にて装着している上下一体被服からなる。
【考案の効果】
【００１０】
前記基本構成による上下一体被服においては、背部によるファスナーの装着方向が水平方向であり、しかも両側の横腹部から前側部に延伸した状態にて装着するというシンプルな構成であることから、製造コストを低く設定することができ、しかも開閉作業に際し、使用者が身体の前側部において両手を使用して一人で開閉を開始し、かつ終了することができるという使用上の便宜を確保することができる。
【００１１】
しかも、ファスナーの装着領域が肩の領域に及んでいないため、肩の動きが比較的自由となる。
【図面の簡単な説明】
【００１２】
【図１】基本構成の前部に対応する正面図及び背部に対応する背面図を夫々示しており、  （ａ）は前部におけるファスナーの延伸による装着方向が両側の横腹部から水平方向である実施形態を示しており、  （ｂ）は前部におけるファスナーの延伸による装着方向が両側の横腹部から順次下降する傾斜状態を採用した実施形態を示しており、  （ｃ）は前部におけるファスナーの延伸による装着方向が両側の横腹部から順次上昇する傾斜状態を採用した実施形態を示している。
【図２】実施例の構成を示す背面図である。
【考案を実施するための形態】
【００１３】
前記基本構成においては、ファスナー２を図１（ａ）、（ｂ）、（ｃ）に示すように、背部では、脇の下から腰部に至る上下方向領域のうち、上側から約1／2の高さ領域において左右対称の水平方向に装着しており、前部では、両側の横腹部から水平方向中央位置に向かって延設した状態にて装着している。
【００１４】
その結果、本考案のファスナー２の装着状態は極めてシンプルであり、製造コストを極めて安価とする一方、ファスナー２の開閉作業の開始及び終了を身体の前部における両手の操作によって実現することが可能となり、特許文献４の構成に比し、取扱上極めて便利である。
【００１５】
即ち、特許文献１，２，３のような複雑なファスナー２の装着状態のような、複雑な製作による不都合、更には開閉における複雑な操作を避けることができる。
【００１６】
前記のように、図１（ａ）は、水平方向の実施形態を示しており、図１（ｂ）は順次下降する傾斜方向の実施形態を示しており、（ｃ）は順次上昇する傾斜方向の実施形態を示している。
【００１７】
言うまでもなくこれらの実施形態の何れも、前記のような安価な製造コスト及び使用上の便宜による作用効果を発揮することが可能である点において共通している。
【００１８】
身体の両側の横腹部においては、背部の装着と前部の装着とを接続しており、大抵の場合には背部の場合と同様に水平方向に装着する設計が採用されているが、その根拠は製造上の安価及び使用上の便宜にある。
【００１９】
本考案の上下一体被服１は、図１（ａ）、（ｂ）、（ｃ）の実施形態に限定される訳ではない。
【００２０】
何れにせよ、前記基本構成においては、背部における略水平方向の装着による高さ位置は、脇の下と腰部との中間領域よりも上部としていることから、ファスナー２を開いた状態とした場合の進退の挿脱を容易に実現することが出来る。
【００２１】
以下、実施例に即して説明する。
【実施例】
【００２２】
実施例は、図２に示すように、ファスナー２が両側の横腹部から前部の水平方向における中央位置に迄延設されていることを特徴としている（尚、図２においては、図１（ａ）のような水平方向の延設状態を示すが、図１（ｂ）、図１（ｃ）のような傾斜した延設状態の場合においても当然上記実施例を適用することができる。）。
【００２３】
上記実施例の場合には、ファスナー２を身体の前部の水平方向における中央位置に存在する端部２１に迄開いた状態とすることができ、被服１に関する身体の挿脱を容易に実現することができる。
【産業上の利用可能性】
【００２４】
本考案は、ドライスーツ、ウェットスーツ及び防護被服等として利用することが可能となり、その使用範囲は極めて広く、利用による価値は絶大である。
【符号の説明】
【００２５】
１  被服
２  ファスナー
２１  ファスナーの装着端部
【図１】
0003185710.tif 000003
【図２】
0003185710.tif 000004